(57)【特許請求の範囲】
【請求項１】
管路、より詳細には血液チューブシステム又は血液バッグシステムの管路を開放する装置であって、前記管路は該管路の流路を塞ぐ閉塞部材が存在する管であり、該装置は、外側から前記管路に作用する力を加える結果、前記閉塞部材が加圧されて前記管路が開放されるように設計される少なくとも１つの開放器具を有し、
前記開放器具は、前記管路に作用する力が、前記閉塞部材が位置する領域にだけ加えられるか又は少なくとも前記閉塞部材が位置する領域に部分的に加えられるように、前記管路のみが前記開放器具内に導入されることができるような輪郭となっていることを特徴とする、装置。
【請求項２】
前記装置は、前記開放器具内への前記管路の一部だけの導入を防止する手段をさらに備え、該手段は好ましくは、前記管路が押圧されて前記開放器具から外れるか又は押圧されて前記開放器具の適正位置に入るように具現されるばね機構を備えることを特徴とする、請求項１に記載の装置。
【請求項３】
管路、より詳細には血液チューブシステム又は血液バッグシステムの管路を開放する装置であって、前記管路は該管路の流路を塞ぐ閉塞部材が存在する管であり、該装置は、外側から前記管路に作用する力を加える結果、前記閉塞部材が加圧されて前記管路が開放されるように設計される少なくとも１つの開放器具を有し、
該装置又は前記開放器具はプロセッサーユニットを有し、該プロセッサーユニットは、或る特定時に、行うべき前記開放器具の作動を指示又は開始し、かつ／又は、前記管路が前記開放器具のその適正位置にある場合にのみ前記作動を開始し、かつ／又は、前記管路の開放手順を監視するように設計されることを特徴とする、請求項１に記載の装置。
【請求項４】
前記装置又は前記開放器具は、該開放器具における前記管路の存在、及び／又は、前記開放器具におけるその位置、及び／又は、前記閉塞部材の前記開放手順の少なくとも１つのパラメーター特性を検知するように設計される少なくとも１つのセンサーを有することを特徴とする、請求項３に記載の装置。
【請求項５】
前記センサーは前記プロセッサーユニットに接続されること、及び、前記プロセッサーユニットは、前記管路が前記開放器具における前記適正位置にある場合にのみ前記開放器具の作動を開始するように設計され、前記位置は前記センサーによって検知されることを特徴とする、請求項４に記載の装置。
【請求項６】
前記センサーは前記プロセッサーユニットに接続されること、及び、前記プロセッサーユニットは、前記閉塞部材の前記開放手順を中断し、かつ／又は、前記開放手順が意図する進行から逸脱している場合に、前記装置のユーザーが確認することができる警報を発するように設計されることを特徴とする、請求項４又は５に記載の装置。
【請求項７】
前記開放器具がハンドヘルド器具の構成部品であることを特徴とする、請求項１〜６のいずれか一項に記載の装置。
【請求項８】
有線接続又は無線接続が、前記装置の前記ハンドヘルド器具と前記プロセッサーユニットとの間に通信リンクを与えることを特徴とする、請求項７に記載の装置。
【請求項９】
前記ハンドヘルド器具は、該ハンドヘルド器具のユーザーに前記閉塞部材の前記開放手順が行われるべきことを指示するように設計される手段を備えることを特徴とする、請求項７または８に記載の装置。
【請求項１０】
管路、より詳細には血液チューブシステム又は血液バッグシステムの管路を開放する装置であって、前記管路は該管路の流路を塞ぐ閉塞部材を有し、該装置は、外側から前記管路に作用する力を加える結果、前記閉塞部材が加圧されて前記管路が開放されるように設計される少なくとも１つの開放器具を有し、
前記開放器具は開放部材及びドライブユニットを有し、該開放部材又は該ドライブユニットはガイドに接続され、前記ドライブユニット又は前記開放部材は回転体又は摺動体に接続され、該回転体又は該摺動体は前記ドライブユニットが作動すると前記ガイドに対して回転運動に至り、前記ガイドは、前記回転体又は前記摺動体と該ガイドとの間の相対運動により、前記開放部材の伸張移動又は後退移動をもたらすように設計されることを特徴とする、請求項１に記載の装置。
【請求項１１】
前記開放部材はばね付勢され、該ばねは、接続されている前記開放部材又は構成部品に前記伸張移動とは反対に方向付けられる力を加えるように配置されることを特徴とする、請求項１０に記載の装置。
【請求項１２】
前記ガイドは、前記管路が加圧されつつ、前記ドライブユニットの一定の又は実質的に一定のトルクが前記開放部材の前記伸張移動に必要とされるように設計されることを特徴とする、請求項１０又は１１に記載の装置。
【請求項１３】
血液処理器又は血液処理器の構成部品であることを特徴とする、請求項１〜１２のいずれか一項に記載の装置。
【請求項１４】
閉塞部材が存在する管、より詳細には血液チューブシステム又は血液バッグシステムの管を開放するための、請求項１〜１３のいずれか一項に記載の装置の使用。
【発明の詳細な説明】
【技術分野】
【０００１】
本発明は、管路、より詳細には血液チューブシステム又は血液バッグシステムの管路を開放する装置であって、管路が該管路の流路を塞ぐ閉塞部材（ｓｅａｌｉｎｇ  ｅｌｅｍｅｎｔ）を有し、該装置は少なくとも１つの開放器具を有し、該開放器具は、外側から管路に作用する力を加える結果、閉塞部材が加圧されて管路が開放されるように設計される、装置に関する。
【背景技術】
【０００２】
例として、管路を開放するそのような装置が特許文献１に開示されている。そこに開示されている開放器具は、自動式に又は手によって共に案内される２つの顎部からなる。そのように共に案内される際、顎部間に位置する管路部分が押し潰され、閉塞部材が塑性変形し、そのため、自由な流れ横断面が管路内に形成され、開放器具の作動後も自由なままである。
【０００３】
診療スタッフ及び血液銀行のスタッフは、セパレーター内で血液をその成分に分離すると共に該成分を別個の容器内に保管するために、比較的多数の血液バッグセットを頻繁に扱わねばならない。このことはスタッフの負担が比較的重いことにつながるが、その理由は、特に従来の滅菌シールの連続的な開放にかなりの労力を必要とし、結局のところ、スタッフに苦痛を引き起こしかねないからである。さらに、スタッフは多くの場合、相当な時間的制約下にあり、そのため、個々の方法ステップを数秒の時間で行わねばならない。
【０００４】
最後に、誤操作の危険性、および滅菌シールが不注意にも開放されていない若しくは一部しか開放されていない危険性、又は鋭利な縁を所々に有している危険性がある。特に、鋭利な縁が所々に存在する場合、血液成分が溶血により損傷を受ける危険性がある。
【０００５】
したがって、方法ステップを単純化すると共に速やかにすると同時に、高い安全基準及び品質標準を満たすことが必要である。このことは、特許文献１に開示されているような滅菌シールの開放に特に当てはまる。
【０００６】
閉塞部材を開放する開放器具を、可能な限り最も短い時間で、かつ可能な限り最も高い精度で操作することが重要である。このプロセスでは、特に、装置が手動式装置として設計される場合に、ユーザーに高度の信頼が得られるように、迅速かつ単純な操作が確実でなければならない。
【０００７】
特許文献２は、血液チューブにおける滅菌シールを開放する器具を有する血液処理器を開示している。この開放器具は軸方向に動くことができ、さらに回転することもできる。この開放器具はブレイクコーンを有する滅菌シールを開放する役割を果たす。上記に説明したように、そのような滅菌シールは、滅菌シールの鋭利な縁及び片が或る特定の状況において生じる可能性があり、これらが血液成分に損傷を与えることになりかねないという点で不都合である。特許文献２に記載されている構成のさらなる不都合点は、記載の機構が、アクチュエーターの連続的な前後の動きがもたらされねばならないことから、比較的複雑であることにある。このことはさらに、いくぶんかの時間消費にもつながる。
【０００８】
特許文献３は、油圧原理で作動すると共に比較的複雑な設計を有する、手動操作用の電池式押圧器を開示している。そのような構成は、血液バッグシステム又は血液チューブシステムにおける滅菌シールを迅速かつ高精度で開放する必要があるが、使用が比較的困難であり、迅速に使用することができない。
【０００９】
類似の見解が、特許文献４に開示されている、管状物体及びケーブルラグを押圧する役割を果たす電気油圧式ハンドヘルドツールにも当てはまる。開示の構成は比較的複雑であり、重量があり、したがって、滅菌シールの開放に不適切である。
【００１０】
最後に、特許文献５は、スリーブ、ケーブルラグ等を押圧するツールを開示している。このツールもまた、油圧ベースで動作する。このツールは滅菌シールを開放するハンドへルドツールとしては不適切である。
【先行技術文献】
【特許文献】
【００１１】
【特許文献１】独国特許出願公開第１０２００５０１９８５５号
【特許文献２】国際公開第２００４／０５８０４６号
【特許文献３】欧州特許第１２９４０６１号
【特許文献４】国際公開第０３／０８４７１９号
【特許文献５】欧州特許第０１０６１８２号
【発明の概要】
【発明が解決しようとする課題】
【００１２】
本発明の目的は、最初に述べた形式の装置を、特許文献１から知られるような滅菌シールの迅速な開放を可能にすると共に高精度を有するように発展させることである。
【課題を解決するための手段】
【００１３】
この目的は、請求項１の特徴を有する装置によって達成される。
【００１４】
したがって、開放器具は、管路に作用する力が、閉塞部材が位置する領域にだけ加えられるか又は少なくとも内部にも加えられるように専ら管路が導入されることができるような輪郭となるように提供される。したがって、閉塞部材を有する管路又は管路部分が、外側から管路に加えられる押圧の力が所定の位置に作用することで管路が開放されるように専ら開放器具内に導入されることができる。ゆえに、当該開放器具と管路部分との間にロック／キー原理の意味で操作可能な接続が存在し、これにより、閉塞部材を有していない管路部分を開放器具へ不慮に導入することが防止される。このことは、開放器具が、作動しているが、管路を開放させていないというケースを確実に防止し得る。
【００１５】
したがって、開放器具への管路部分又は管路の適正な導入が上記のロック／キー原理によってサポートされる。本発明の好適な実施の形態では、管路の一部だけの導入を防止する手段がさらに提供される。したがって、装置のユーザーは、開放器具の作動が、管路が開放器具に一部だけしか導入されていない場合に、防止されるという点でサポートされ得る。例として、これらの手段は、管路を押圧して開放器具から外すか又は押圧して開放器具の適正な位置に入れるように具現されるばね機構を備えることができる。したがって、このばね機構は不適正に配置された管路又は管路部分を押圧して開放器具若しくはその受け口から外すか、又は管路又は管路部分を押圧して閉塞部材を開放することが可能な適正な位置に入れる。
【００１６】
本発明は、管路、より詳細には血液チューブシステム又は血液バッグシステムの管路を開放する装置であって、前記管路は該管路の流路を塞ぐ閉塞部材を有し、該装置は、外側から前記管路に作用する力を加える結果、前記閉塞部材が加圧されて前記管路が開放されるように設計される少なくとも１つの開放器具を有する、装置にさらに関する。この装置は、該装置又は前記開放器具がプロセッサーユニットを有し、該プロセッサーユニットは、或る特定時に、行うべき前記開放器具の作動を指示又は開始し、かつ／又は、前記管路が前記開放器具のその適正位置にある場合にのみ前記作動を開始し、かつ／又は、前記閉塞部材の開放手順を監視するように設計されることを特徴とする。
【００１７】
したがって、例えば、開放器具は、作動がプロセッサーユニットによって指定される場合にのみ作動することが可能である。この作動は、プロセス（例えば細胞分離又は任意の他の形式の血液処理）内で或る特定時に必要となる場合がある。このことが当てはまる場合、プロセッサーユニットが開放器具に信号を送信する結果、開放器具が作動し、閉塞部材が加圧されることで、管路の所望の開放が得られる。
【００１８】
代替的に又は付加的に、プロセッサーユニットは、管路が開放器具内のその適正な位置にある場合にのみ、力の印加によって閉塞部材の開放を開始するよう設計されて提供され得る。このことが当てはまらない場合、プロセッサーユニットは、開放器具の作動を防止するように提供され得る。
【００１９】
代替的に又は付加的に、プロセッサーユニットは、閉塞部材の開放手順を監視するよう設計されて提供され得る。例として、監視は、力測定部材、トルク監視、又は、開放器具を作動させるドライブユニット内のモーター電流の測定によってもたらされ得る。管路若しくは管路部分が未導入（ｍｉｓｓｉｎｇ）の場合、又は不適正に導入されているか若しくは支障なく開放されていない場合、プロセッサーユニットは、例えば警報によって又はアラーム信号を発生させることによって、他の都合のよい方法でプロセスを中断し、かつ／又はプロセスに影響を与えるように提供され得る。
【００２０】
開放器具は、故障時に、管路が不適正に配置され、それにもかかわらず開放手順が開始された場合、閉塞部材が製品の滅菌性が損なわれる程度まで損傷しないよう設計されて提供され得る。そのため、開放手順は、例えば、間に合って中止することができ、かつ／又は、閉塞部材がわずかにしか変形しないため、管路がシールされたままとなり、血液製品の滅菌性が保証されたままとなり得る。
【００２１】
本発明のさらなる実施の形態では、装置又は開放器具は、開放器具における管路の存在、及び／又は、開放器具における管路の位置、及び／又は、閉塞部材の開放手順のための少なくとも１つのパラメーター特性を検知（ｒｅｇｉｓｔｅｒ）するよう設計された少なくとも１つのセンサーを有するように提供される。先に説明したように、この少なくとも１つの特性パラメーターは、閉塞部材が開放されるときに生じる力、トルク又はモーター電流等とすることができる。
【００２２】
本発明の好ましい実施の形態では、前記センサーは、前記プロセッサーユニットに接続されるように提供され、前記プロセッサーユニットは、前記管路が前記開放器具における前記適正位置にある場合にのみ前記開放器具の作動を開始するように設計され、前記位置は前記センサーによって検知される。
【００２３】
さらに、開放器具のセンサーは、プロセッサーユニットに接続され、プロセッサーユニットは、閉塞部材の開放手順を中断し、かつ／又は、開放手順が意図する進行から逸脱している場合に、装置のユーザーが確認することができる警報を発するよう設計されて提供され得る。例として、このことは、管路が開放器具内に適正に配置されていないまま開放手順が開始された場合に当てはまるであろう。
【００２４】
本発明は、ハンドヘルドツールの形態で、すなわちハンドヘルド器具の形態で具現することができる。このハンドヘルド器具は好ましくは、細胞分離又は任意の他の血液処理のために血液バッグシステムを少なくとも部分的に手で扱うことがある方法において用いられる。しかしながら、本発明はこれらに限定されず、むしろ、例えば、本発明による装置によって形成されるか又は構成部として本発明による装置を有する血液処理機も含む。これらの血液処理機の場合では、細胞分離又は任意の他の血液処理について優先的に自動プロセスの使用が提供され得る。好ましくは、閉塞部材は、同様に自動式に開放されるか又はプロセス内の或る特定時に開始されるように提供される。
【００２５】
ツールがハンドへルド器具である場合、装置のハンドヘルド器具とプロセッサーユニットとの間に通信リンクを与えるように有線接続又は無線接続が提供されることができる。例として、この通信リンクは、ハンドヘルド器具によってどの閉塞部材をいつ開放せねばならないかをユーザーに示すユーザーガイド等の情報をハンドヘルド器具上に表示する役割を果たす。この場合では、ハンドヘルドツールは、ユーザーが例えばディスプレイ上に又は聴覚的に又は任意の他のやり方で、閉塞部材を開放せねばならないこと又はどの閉塞部材を開放せねばならないかを通知されることから、特に容易かつ迅速に操作され得る。
【００２６】
例として、上記プロセッサーユニットを血液処理機内に配置することができ、センサー（単数又は複数）をハンドヘルド器具に配置することができる。
【００２７】
しかしながら、上記に説明したように、本発明はハンドヘルド器具に限定されるのではなく、少なくとも１つの開放器具がより大きなユニット、より詳細には血液処理機の構成部品である場合も同様に含む。
【００２８】
本発明のさらなる実施の形態では、請求項３〜９のいずれか一項による装置が請求項１又は２の特徴部に従って設計されるように提供される。このことは、上記の特徴に加え、装置が、開放器具への管路部分の導入がロック／キーの原理に従って行われ、その結果、閉塞部材を有していない管路部分の導入を防止することができるという特徴も有することができることを意味する。
【００２９】
本発明は、管路、より詳細には血液チューブシステム又は血液バッグシステムの管路を開放する装置であって、前記管路は該管路の流路を塞ぐ閉塞部材を有し、該装置は、外側から前記管路に作用する力を加える結果、前記閉塞部材が加圧されて前記管路が開放されるように設計される少なくとも１つの開放器具を有する、装置にさらに関する。この装置は、前記開放器具が開放部材及びドライブユニットを有し、前記開放部材又は前記ドライブユニットはガイドに接続され、前記ドライブユニット又は前記開放部材は回転体又は摺動体に接続され、前記回転体又は前記摺動体は前記ドライブユニットが作動すると前記ガイドに沿って転がると共に前記ガイドに対して回転運動に至り、前記ガイドは、前記回転体又は前記摺動体と前記ガイドとの間の相対運動により、前記開放部材の伸張移動又は後退移動をもたらすように設計されることを特徴とする。
【００３０】
したがって、例えば、ドライブユニットが回転体又は摺動体に接続されることが可能であり、これにより、ドライブユニットが作動したときに回転運動に至る。この回転体又は摺動体はガイド内又はガイド上で転がり、ガイドは回転体又は摺動体の上述した回転運動が開放部材の伸張移動をもたらすように設計される。そのようにする際、ガイドは開放部材に固定接続され、回転体又は摺動体はドライブユニットに固定接続されるように提供され得る。原則的に、ガイドがドライブユニットに配置され、回転体又は摺動体が開放部材に配置されることが同様に可能である。必須なことは、回転体及び摺動体とガイドとの間の相対運動が開放部材の伸張移動又は後退移動をもたらすことである。
【００３１】
開放部材はばね付勢されることができ、ここでは、ばねは、接続されている開放部材又は構成部品に伸張移動とは反対に方向付けられる力を加えるように配置される。したがって、ばね部材により、開放部材は、もはや管路を開放する必要がなくなると再び後退することが確実となる。
【００３２】
ガイドは、開放部材の伸張移動中、ドライブユニットの一定又は実質的に一定のトルクが存在するように設計され得る。好ましくは、力を与えるために大きな一定のトルクが必要とされるように提供され、この力は最大値となって閉塞部材を開放するまで連続的に増大する。その結果、比較的小型の、軽量で安価な駆動部（ｄｒｉｖｅ）を使用することができる。
【００３３】
この実施の形態は、装置がハンドヘルド器具として用いられる場合に特に有利である。例として、１つだけの又は任意に複数のそのようなハンドヘルド器具が血液処理機に必要とされ得る。その場合、ユーザーは、閉塞部材を開放するだけでよいか、又はユーザーガイドに従って様々な閉塞部材を連続的に開放するだけでよい。ここで、プロセッサーユニットとの通信は、上記説明に従って有線又は無線通信を通じてもたらされることができる。
【００３４】
しかしながら、本発明はこれに限定されず、平坦な又は傾斜した駆動力（ｆｌａｔ  ｏｒ  ａｎｇｌｅｄ  ｄｒｉｖｅ）を用いる単純なペンチの原理に従って閉塞部材の開放をもたらす開放器具を同様に含む。
【００３５】
上記に説明したように、装置は血液処理器、より詳細には細胞分離用の器具とすることができる。しかしながら、本発明はこれに限定されない。
【００３６】
「管路」という用語は広義に理解されるべきであり、例えば血液バッグシステムの管路部分、チューブ及び接続領域等、流体が通って流れることができる任意の領域を含む。
【００３７】
本発明のさらなる詳細及び利点を、図面に示される例示的な実施形態に基づき、より詳細に説明する。
【図面の簡単な説明】
【００３８】
【図１】開放器具を有する血液処理器の一部の斜視図である。
【図２ａ】開放器具の組立斜視図である。
【図２ｂ】開放器具の分解斜視図である。
【図３】滅菌シールを開放するハンドヘルド器具の斜視図である。
【図４】滅菌シールを開放するハンドヘルド器具の断面図である。
【図５】図１、図２による器具のガイド及び回転体の詳細図である。
【図６】図１、図２による器具のガイド及び回転体の詳細図である。
【図７】開放部材を有する回転体及びガイドの詳細図である。
【図８】開放部材を有する回転体及びガイドの詳細図である。
【図９】開放部材を有する回転体及びガイドの詳細図である。
【図１０】開放部材を有する回転体及びガイドの詳細図である。
【図１１】開放部材を有する回転体及びガイドの詳細図である。
【図１２】開放部材を有する回転体及びガイドの詳細図である。
【図１３】図３、図４による器具のガイドの種々の図のうちの一図である。
【図１４】図３、図４による装置のガイドの種々の輪郭図のうちの一輪郭図である。
【図１５】図３、図４による装置のガイドの種々の図のうちの一図である。
【図１６】図３、図４による装置のガイドの種々の輪郭図のうちの一輪郭図である。
【図１７】図３、図４による装置のガイドの種々の図のうちの一図である。
【図１８】図３、図４による装置のガイドの種々の輪郭図のうちの一輪郭図である。
【発明を実施するための形態】
【００３９】
図１は、細胞分離用の血液処理器の一部１００の斜視図を示す。この血液処理器はその前側に、特許文献１に詳細に記載されているような閉塞部材を開放する役割を果たす開放器具１０を有する。これに関しては上記文献の参照を行う。
【００４０】
開放器具１０は、閉塞部材の加圧、したがって管路の開放をもたらすように、血液処理器のプロセッサーユニット（これ以上詳細には説明せず）によって或る特定時に作動する。
【００４１】
図２ａは開放器具１０を拡大斜視図で示し、図２ｂはその構成を分解図で示す。参照符号１２は構成のハウジングを示す。参照符号１４は、管状部分が図示の開放器具１０に一部だけしか導入されないことを防止する機構の、ペンチのように相互作用する２つの部材を示す。図２ｂから、これらの２つの顎部１４がばね１９によって付勢されることが明らかである。これらのばね付勢式顎部１４の作用は、管が一部だけしか導入されていない場合に管を完全に押圧して開放器具に完全に入れるか又は再び開放器具から外すことである。好ましくはペンチのように相互作用する実際の顎部、すなわち閉塞部材を開放するペンチは、観察者が見る地点からは、顎部１４が画定している領域の背後にあるため、図には示されていない。
【００４２】
したがって、閉塞部材を開放する開放器具１０への管路部分の適正な導入は、ばね付勢式顎部１４の形態で図２ｂに示すもののような機構によってサポートされることができる。
【００４３】
参照符号１６は前側カバーを示し、参照符号１８は底側カバーを示し、この底側カバーは付加的に、標準接続部用の破断器具としての役割を果たす。
【００４４】
図１、図２による開放器具１０はペンチの原理に従って動作する。開放器具１０は平坦な又は傾斜した駆動力を有することができる。開放器具１０の輪郭は、閉塞部材又はそれらを含む管路部分だけが、所定の場所で加圧され、管路が開放されるように導入されることができるように形成される。このロック／キー原理により、そのような閉塞部材が配置されていない管路部分の不慮の導入が防止される。この結果、開放器具が作動しても、管路の開放は生じない。
【００４５】
開放器具１０はさらにプロセッサーユニットに接続され、該プロセッサーユニットは、閉塞部材を有する管路部分が導入されて適正な位置にあるという情報を開放器具１０のセンサーから得る。開放手順の際、このプロセッサーユニットが該開放手順の支障のない進行を監視し、この監視は例えば、力測定部材、トルク監視又はモーター電流測定によってもたらされ得る。管路部分若しくは閉塞部材の不適正な導入若しくは未導入の場合、又は、閉塞部材が支障なく開放されていない場合、プロセッサーユニットは例えば、開放プロセスを中断若しくは中止するか又は警報若しくはアラームを発動させることができる。
【００４６】
本発明による開放器具は、曲げることによって開放される標準シールを開放する補助物（図２ｂの参照符号１８）と組み合わせることができる。この補助物は、従来の血液バッグシステムの使用が妨げとならずに前述の破断用の補助物によってサポートされるように設計され得る。
【００４７】
図３〜図１８は、特許文献１に開示されているような閉塞部材を開放するハンドヘルド器具２０に関する。
【００４８】
ハンドヘルド器具はロッド状形態を有し、この形態は図３及び図４に示す。ハンドヘルド器具は、ＤＣモーター２４を駆動する充電式電池すなわち電池２２を有する。モーター２４が作動すると、モーター２４に接続されているトランスミッション２６によって回転体２８が駆動される、すなわち回転運動に至る。回転体２８はその直径方向に対向する２つの領域内に軸を有し、この軸に、回転可能なホイール２９が配置される。例として、これは図５及び図６の詳細な図から明らかである。これらのホイール２９はガイド３０内で転がり、ガイド３０自体は非回転式に開放部材４０に接続されており、このことは特に図６から明らかである。図７〜図１２もまた、ガイドと、回転体２８によって駆動されるホイール２９との配置を様々な斜視図及び断面図で示す。
【００４９】
回転体２８がモーター２４によって又はトランスミッション２６を介して作動する場合、ホイール２９がガイド３０の表面上で転動し、これにより、開放部材４０の軸方向伸張移動又は後退移動がもたらされる。図７〜図９は開放部材を後退位置で示す。滅菌シールが開放されねばならない場合、対応する管路部分が器具２０のフック状端領域５０に導入され、その時点で、閉塞部材を加圧し、管路が開放されるようにユーザーが押しボタンを作動させることで、開放部材４０が伸張する。開放部材の戻り移動がばね６０によってもたらされ、このことは特に図７〜図１２から明らかである。開放部材は、作動するとこのフック状端部分又は該部分によって形成された空きスペースに部分的に入り、管路を加圧する。
【００５０】
図３、図４による器具は、管路が適正に導入されていて開放手順を自動的に開始することを自動的に確認するセンサーを有し得る。同様に、ユーザーを、押しボタン又はスイッチを作動させることによって開放部材４０の伸張移動をもたらすように、ユーザーガイドによって促し得る。
【００５１】
例として、図３、図４による装置が有線接続を通じて、あるいは無線で血液処理器に接続することができ、そこから対応する信号を得ることができる。これらの２つのユニット間の通信は双方向であることもでき、例えばデータの送信を含み、このデータから開放手順が行われたことが明らかとなる。
【００５２】
図１３〜図１８は、ガイド３０の種々の斜視図及びその輪郭線を示す。ガイド３０は実質的に中空シリンダー部分として設計され、端領域内の端面側にガイド面３２を有し、ドライブユニットによって回転運動に至ることができるホイール又は摺動体等が上記ガイド面上を転がる。ここで、ガイド３０の表面３２の輪郭は、一定の傾斜を有するのではなく、閉塞部材を開放する力を加えるのにほぼ一定のトルクが必要とされるように具現され、この力は最大値まで連続的に増大する。そのような実施形態の利点は、駆動部が比較的小型の、軽量で安価な設計を有することができる点である。
【図１】
0005567576.tif 000002
【図２ａ】
0005567576.tif 000003
【図２ｂ】
0005567576.tif 000004
【図３】
0005567576.tif 000005
【図４】
0005567576.tif 000006
【図５】
0005567576.tif 000007
【図６】
0005567576.tif 000008
【図７】
0005567576.tif 000009
【図８】
0005567576.tif 000010
【図９】
0005567576.tif 000011
【図１０】
0005567576.tif 000012
【図１１】
0005567576.tif 000013
【図１２】
0005567576.tif 000014
【図１３】
0005567576.tif 000015
【図１４】
0005567576.tif 000016
【図１５】
0005567576.tif 000017
【図１６】
0005567576.tif 000018
【図１７】
0005567576.tif 000019
【図１８】
0005567576.tif 000020